(57)【要約】【課題】広い周波数域に亘って吸気音の音圧と透過音の音圧とをチューニングできる吸気装置を提供することを課題とする。【解決手段】吸気装置１は、外部から吸気を取り込む吸気口２０を持つ筒状の吸気ダクト２と、吸気ダクト２の下流側に配置され吸気を濾過するエアクリーナ４と、エアクリーナ４の下流側に配置されエンジンの燃焼室７０と連通するエアクリーナホース５と、を備える。吸気ダクト２およびエアクリーナ４およびエアクリーナホース５には、通気性部材８ａ、８ｂにより塞がれた複数の透過口８０ａ、８０ｂが前記部材から二つ以上選ばれて配置されている。通気性部材８ａ、８ｂの通気量は、吸気口２０から発生する吸気音および通気性部材８ａ、８ｂから発生する透過音の音圧をチューニングするために、各々異なるように設定されていることを特徴とする。【選択図】　図１
2004052574.tif 000002
【特許請求の範囲】
【請求項１】
外部から吸気を取り込む吸気口を持つ筒状の吸気ダクトと、該吸気ダクトの下流側に配置され該吸気を濾過するエアクリーナと、該エアクリーナの下流側に配置されエンジンの燃焼室と連通するエアクリーナホースと、を備えてなる吸気装置であって、
前記吸気ダクトおよび前記エアクリーナおよび前記エアクリーナホースには、通気性部材により塞がれた複数の透過口が前記部材から二つ以上選ばれて配置されており、
複数の該通気性部材の通気量は、前記吸気口から発生する吸気音および該通気性部材から発生する透過音の音圧をチューニングするために、各々異なるように設定されていることを特徴とする吸気装置。
【請求項２】
前記吸気音の音圧は、前記透過音の音圧とほぼ等しくなるように設定されている請求項１に記載の吸気装置。
【請求項３】
吸気音の音圧が、透過音の音圧以上となるように設定されている請求項２に記載の吸気装置。
【請求項４】
吸気音の音圧が、透過音の音圧〜透過音の音圧＋３ｄＢの範囲内に設定されている請求項３に記載の吸気装置。
【請求項５】
前記透過口は、前記吸気ダクトと、前記エアクリーナのダーティ側と、に配置されている請求項２に記載の吸気装置。
【請求項６】
前記複数の通気性部材の通気量は、上流側に配置された該通気性部材の通気量の方が、下流側に配置された該通気性部材の通気量よりも、大きくなるように設定されている請求項２に記載の吸気装置。
【発明の詳細な説明】
【０００１】
【発明の属する技術分野】
本発明は、エンジンに空気を供給する吸気装置、より詳しくは騒音を抑制できる吸気装置に関する。
【０００２】
【従来の技術】
吸気装置の概略図を図９に示す。図に示すように、吸気装置１００は、吸気ダクト１０１とレゾネータ１１０とエアクリーナ１０３とエアクリーナホース１０４とスロットルボディ１０５とインテークマニホールド１０６とを備える。吸気は、吸気口１０２から吸気ダクト１０１に取り込まれ、レゾネータ１１０、エアクリーナ１０３、エアクリーナホース１０４、スロットルボディ１０５、インテークマニホールド１０６を介して、エンジンの燃焼室１０９に供給される。
【０００３】
ところで、吸気装置１００においては、吸気口１０２から漏れる騒音（以下、「吸気音」と称す。）が問題となる。吸気音は、１ｋＨｚ以上に亘る比較的広い周波数域を有する。そして、この周波数域中には、音圧レベルが著しく大きい共鳴ピークが複数点在している。したがって、共鳴ピークを小さくすることで、吸気音を抑制することができる。
【０００４】
そこで、特開２００２−２１６６０号公報には、通気性部材を持つエアクリーナが紹介されている。図１０に、同公報記載のエアクリーナの概略図を示す。なお、図９と対応する部位については同じ符号で示す。図に示すように、エアクリーナ１０３ダーティ側の底壁１１１の一部は、通気性部材１１２により形成されている。複数の共鳴ピークのうち、比較的低周波数域の共鳴ピークを形成する定在波の腹は、エアクリーナ１０３ダーティ側に位置している。このため、同公報記載のエアクリーナ１０３によると、吸気音のうち比較的低周波数域の音を抑制することができる。
【０００５】
【発明が解決しようとする課題】
しかしながら、同公報記載のエアクリーナ１０３によると、比較的低周波数域の音を抑制することができるに過ぎなかった。すなわち、広い周波数域に亘る吸気音のうち、ごく一部の狭い周波数域の音を抑制できるに過ぎなかった。
【０００６】
また、通気性部材１１２を配置すると、通気性部材１１２を透過する騒音（以下、「透過音」と称す。）が発生する。透過音は、車室に近接したエンジンルーム内に漏出する。このため、透過音も、吸気音同様に抑制する必要がある。具体的には、吸気音の音圧と透過音の音圧とを、広い周波数域に亘ってチューニングする必要がある。吸気音および透過音のチューニングは、通気性部材１１２の通気量などを調整することにより行うことができる。
【０００７】
ところが、同公報記載のエアクリーナ１０３によると、単一の通気性部材１１２がダーティ側に配置されているのみである。このため、吸気音および透過音のうちチューニングすることができるのは、比較的低周波数域の音だけである。すなわち、吸気音の音圧と透過音の音圧とを、広い周波数域に亘ってチューニングすることは困難である。
【０００８】
本発明の吸気装置は、上記課題に鑑みて完成されたものである。したがって、本発明は、広い周波数域に亘って吸気音の音圧と透過音の音圧とをチューニングできる吸気装置を提供することを目的とする。
【０００９】
【課題を解決するための手段】
（１）上記課題を解決するため、本発明の吸気装置は、外部から吸気を取り込む吸気口を持つ筒状の吸気ダクトと、該吸気ダクトの下流側に配置され該吸気を濾過するエアクリーナと、該エアクリーナの下流側に配置されエンジンの燃焼室と連通するエアクリーナホースと、を備えてなる吸気装置であって、前記吸気ダクトおよび前記エアクリーナおよび前記エアクリーナホースには、通気性部材により塞がれた複数の透過口が前記部材から二つ以上選ばれて配置されており、複数の該通気性部材の通気量は、前記吸気口から発生する吸気音および該通気性部材から発生する透過音の音圧をチューニングするために、各々異なるように設定されていることを特徴とする。
【００１０】
つまり、本発明の吸気装置は、吸気ダクトとエアクリーナとエアクリーナホースとを備えるものである。これらの部材の少なくとも二つには、通気性部材により塞がれた透過口が開設されている。すなわち、通気性部材も複数配置されている。そして、これら複数の通気性部材の通気量は、吸気音の音圧および透過音の音圧を、ともにチューニングできるように、各々異なる値に設定されている。
【００１１】
本発明の吸気装置によると、吸気音および透過音の持つ広い周波数域のうち、各周波数ごとの音圧分布に応じて通気量を最適化することができる。すなわち、吸気音および透過音を、きめ細やかにチューニングすることができる。したがって、本発明の吸気装置によると、広い周波数域に亘って吸気音の音圧と透過音の音圧とを自在にチューニングすることができる。なお、「通気量」とは、単位時間あたりの体積流量をいう。
【００１２】
（２）好ましくは、前記吸気音の音圧は、前記透過音の音圧とほぼ等しくなるように設定されている構成とする方がよい。吸気口は車外に開口している。このため、吸気音は主に車外騒音の一因となる。一方、透過口はエンジンルームなどに開口している。このため、透過音は主に車内騒音の一因となる。したがって、車外騒音および車内騒音の双方を小さくするためには、吸気音の音圧と透過音の音圧とがほぼ等しくなるようにチューニングすればよい。
【００１３】
（３）好ましくは、吸気音の音圧が、透過音の音圧以上となるように設定されている構成とする方がよい。例えば、エンジンルームなどの遮音性が低い場合、透過音は減衰しないまま車室に伝達されることになる。このような場合は、透過音の音圧を吸気音の音圧以下となるようにチューニングすると、より車内騒音を抑制しやすくなる。
【００１４】
図１１に、前出の図１０同様に、エアクリーナのダーティ側に単一の通気性部材を配置した吸気装置の吸気音および透過音の周波数分布を示す。図中、横軸は周波数（Ｈｚ）を示す。また、縦軸は音圧レベル（ｄＢ）を示す。また、実線は吸気音を示す。また、点線は透過音を示す。
【００１５】
この吸気装置によると、周波数域Ａ、周波数域Ｂにおいて、透過音の音圧の方が吸気音の音圧よりも大きくなってしまう。透過音の音圧を吸気音の音圧以下にまで小さくするためには、通気性部材の通気量を小さくしてやればよい。しかしながら、通気性部材の通気量を小さくすると、今度は吸気音の音圧が大きくなってしまう。また、周波数域Ａ、周波数域Ｂにのみ注視してチューニングを行うと、他の周波数域において、透過音の音圧が吸気音の音圧よりも大きくなる、透過音の音圧が吸気音の音圧に対して過剰に小さくなる、などの不具合が発生するおそれがある。このように、単一の通気性部材により、広い周波数域に亘って吸気音の音圧と透過音の音圧とを、吸気音の音圧が透過音の音圧とほぼ等しく、かつ透過音の音圧以上となるようにチューニングするのは困難である。
【００１６】
これに対し、本構成の吸気装置は複数の通気性部材を備えている。この複数の通気性部材の配置場所や通気量などを調整することにより、比較的簡単に、吸気音の音圧と透過音の音圧とを、吸気音の音圧が透過音の音圧とほぼ等しく、かつ透過音の音圧以上となるように、チューニングすることができる。したがって、本構成の吸気装置によると、車外騒音と車内騒音とをバランス良く抑制することができる。
【００１７】
（４）好ましくは、４０Ｈｚ以上１０００Ｈｚ以下の周波数域の、吸気音と透過音との音圧レベルが最も近づくある特定の周波数において、吸気音の音圧を、透過音の音圧〜透過音の音圧＋３ｄＢの範囲内に設定する方がよい。
【００１８】
その理由は、通気性部材を全く用いない場合の吸気音の騒音エネルギを１００％とすると、通気性部材を用いた場合、吸気音と透過音の二つに騒音エネルギが分散されることになる。吸気音と透過音とが等しい場合は、各々５０％ずつに分散される。また、３ｄＢ差がある場合には、吸気音：透過音＝２：１となり、吸気音は通気性部材を用いない場合と比べて２／３に騒音エネルギが抑制可能である。厳密には、透過音は吸気音より車室内に近く耳障りとなるため、吸気音より低く設定するために目安として３ｄＢとしている。
【００１９】
（５）好ましくは、前記透過口は、前記吸気ダクトと、前記エアクリーナのダーティ側と、に配置されている構成とする方がよい。後述する実施例から、通気性部材により塞がれた透過口を、吸気ダクトおよびエアクリーナのダーティ側に配置すると、より簡単に、吸気音の音圧と透過音の音圧とを、吸気音の音圧が透過音の音圧とほぼ等しく、かつ透過音の音圧以上となるように、チューニングできることが判った。本構成の吸気装置によると、より簡単に、車外騒音と車内騒音とをバランス良く抑制することができる。
【００２０】
（６）好ましくは、前記複数の通気性部材の通気量は、上流側に配置された該通気性部材の通気量の方が、下流側に配置された該通気性部材の通気量よりも、大きくなるように設定されている構成とする方がよい。
【００２１】
つまり、本構成は、複数の通気性部材の通気量を、上流側＞下流側となるように設定するものである。後述する実施例から、通気量を上流側＞下流側と設定すると、より簡単に、吸気音の音圧と透過音の音圧とを、吸気音の音圧が透過音の音圧とほぼ等しく、かつ透過音の音圧以上となるように、チューニングできることが判った。本構成の吸気装置によると、より簡単に、車外騒音と車内騒音とをバランス良く抑制することができる。
【００２２】
【発明の実施の形態】
以下、本発明の吸気装置の実施の形態について説明する。
【００２３】
（１）第一実施形態
まず、本実施形態の吸気装置の構成について説明する。図１に、本実施形態の吸気装置の概略図を示す。図に示すように、吸気装置１は、吸気ダクト２とエアクリーナ４とエアクリーナホース５とスロットルボディ６とインテークマニホールド７とを備える。
【００２４】
吸気ダクト２は、ＰＰ（ポリプロピレン）製であって円筒状を呈している。吸気ダクト２は、上流端に開設された吸気口２０により、自動車の外部と連通している。図２に、吸気ダクトおよびエアクリーナの分解図を示す。図に示すように、吸気ダクト２の側周壁には、矩形状の透過口８０ａが開設されている。透過口８０ａは、ＰＥＴ（ポリエチレンテレフタレート）不織布製であって矩形板状の通気性部材８ａにより塞がれている。
【００２５】
エアクリーナ４は、ダーティ側ケース４０とクリーン側ケース４１とエレメント４２とを備える。図２に戻って、ダーティ側ケース４０は、タルク配合ＰＰ製であって上方に開口する箱状を呈している。ダーティ側ケース４０の側壁からは、ダクト接続筒４００が突設されている。ダクト接続筒４００は、吸気ダクト２の下流端に接続されている。また、ダーティ側ケース４０の側壁には、透過口８０ｂが開設されている。透過口８０ｂは、ＰＥＴ不織布製であって矩形板状の通気性部材８ｂにより塞がれている。なお、通気性部材８ｂの通気量は、通気性部材８ａの通気量よりも、小さく設定されている。
【００２６】
クリーン側ケース４１は、タルク配合ＰＰ製であって下方に開口する箱状を呈している。クリーン側ケース４１は、開口が伏せられた状態で、ダーティ側ケース４０の上方に配置されている。クリーン側ケース４１の側壁からは、ホース接続筒４１０が突設されている。
【００２７】
エレメント４２は、ＰＥＴ不織布をひだ折り加工した長方形板状を呈している。エレメント４２は、ダーティ側ケース４０の開口縁とクリーン側ケース４１の開口縁との間に挟持固定されている。そして、エレメント４２は、ダーティ側ケース４０とクリーン側ケース４１とにより形成される閉空間を、上下二室に仕切っている。
【００２８】
図１に戻って、エアクリーナホース５は、ＣＲ（クロロプレンゴム）製であって蛇腹筒状を呈している。エアクリーナホース５の上流端は、図２に示すホース接続筒４１０に接続されている。エアクリーナホース５の下流端には、筒状のスロットルボディ６の上流端が接続されている。スロットルボディ６の下流端には、燃焼室７０に分岐接続されたインテークマニホールド７が接続されている。外部から吸気口２０に取り込まれた空気は、吸気装置１内を、吸気ダクト２→ダーティ側ケース４０→エレメント４２→クリーン側ケース４１→エアクリーナホース５→スロットルボディ６→インテークマニホールド７の順に通過し、燃焼室７０に流入する。
【００２９】
次に、本実施形態の吸気装置の効果について説明する。本実施形態の吸気装置１には、合計二つの透過口８０ａ、８０ｂが開設されている。そして、各々の透過口８０ａ、８０ｂは、通気性部材８ａ、８ｂにより塞がれている。また、通気性部材８ａ、８ｂの通気量は、上流側に配置された通気性部材８ａの方が下流側に配置された通気性部材８ｂよりも大きくなるように設定されている。このため、本実施形態の吸気装置１によると、吸気音および透過音の持つ広い周波数域のうち、各周波数ごとの音圧分布に応じて通気量を最適化することができる。そして、吸気音および透過音を、きめ細やかにチューニングすることができる。
【００３０】
また、透過口８０ａは吸気ダクト２に、透過口８０ｂはエアクリーナ４のダーティ側ケース４０に、それぞれ開設されている。このため、本実施形態の吸気装置１によると、広い周波数域に亘って、吸気音および透過音を、吸気音の音圧が透過音の音圧とほぼ等しくかつ透過音の音圧以上となるように、チューニングすることができる。したがって、本実施形態の吸気装置１によると、車外騒音と車内騒音とをバランス良く抑制することができる。
【００３１】
また、二つの透過口８０ａ、８０ｂは、いずれもエレメント４２よりも上流側に開設されている。このため、仮に通気性部材８ａ、８ｂを介して、塵埃が吸気装置１内に混入しても、エレメント４２により、塵埃を濾し取ることができる。このため、本実施形態の吸気装置１によると、エレメント４２よりも下流側の清浄性を確保することができる。
【００３２】
（２）第二実施形態
本実施形態と第一実施形態との相違点は、透過口が、吸気ダクトとエアクリーナのクリーン側ケースとに、それぞれ配置されている点である。したがって、ここでは相違点についてのみ説明する。
【００３３】
図３に、本実施形態の吸気装置の吸気ダクトおよびエアクリーナの部分分解図を示す。なお、図２と対応する部位については同じ符号で示す。図に示すように、透過口８０ａは、吸気ダクト２の側周壁に開設されている。透過口８０ａは、通気性部材８ａにより塞がれている。また、透過口８０ｃは、エアクリーナ４のクリーン側ケース４１の上壁に開設されている。透過口８０ｃは、通気性部材８ｃにより塞がれている。
【００３４】
本実施形態の吸気装置１によると、広い周波数域に亘って吸気音の音圧と透過音の音圧とを自在にチューニングすることができる。また、本実施形態の吸気装置１によると、透過口８０ｃは、エレメント４２の下流側に配置されている。したがって、通気性部材８ｃ内面は、常に清浄な吸気に接している。このため、通気性部材８ｃの内面側が目詰まりしにくい。
【００３５】
（３）第三実施形態
本実施形態と第一実施形態との相違点は、透過口が、吸気ダクトとエアクリーナホースとに、それぞれ配置されている点である。したがって、ここでは相違点についてのみ説明する。
【００３６】
図４に、本実施形態の吸気装置の吸気ダクトおよびエアクリーナおよびエアクリーナホースの部分分解図を示す。なお、図２と対応する部位については同じ符号で示す。図に示すように、透過口８０ａは、吸気ダクト２の側周壁に開設されている。透過口８０ａは、通気性部材８ａにより塞がれている。また、透過口８０ｄは、エアクリーナホース５の側周壁に開設されている。透過口８０ｄは、通気性部材８ｄにより塞がれている。
【００３７】
本実施形態の吸気装置１によると、広い周波数域に亘って吸気音の音圧と透過音の音圧とを自在にチューニングすることができる。また、本実施形態の吸気装置１によると、エアクリーナ４に透過口が開設されていない。このため、エアクリーナ４の外側に、通気性部材を透過した空気を逃がすためのスペースを確保する必要がない。したがって、本実施形態の吸気装置１は、エアクリーナ４の配置の自由度が高い。
【００３８】
（４）第四実施形態
本実施形態と第一実施形態との相違点は、透過口が、エアクリーナのクリーン側ケースとエアクリーナホースとに、それぞれ配置されている点である。したがって、ここでは相違点についてのみ説明する。
【００３９】
図５に、本実施形態の吸気装置のエアクリーナおよびエアクリーナホースの部分分解図を示す。なお、図２と対応する部位については同じ符号で示す。図に示すように、透過口８０ｃは、エアクリーナ４のクリーン側ケース４１に開設されている。透過口８０ｃは、通気性部材８ｃにより塞がれている。また、透過口８０ｄは、エアクリーナホース５の側周壁に開設されている。透過口８０ｄは、通気性部材８ｄにより塞がれている。
【００４０】
本実施形態の吸気装置１によると、広い周波数域に亘って吸気音の音圧と透過音の音圧とを自在にチューニングすることができる。また、本実施形態の吸気装置１によると、透過口８０ｃおよび透過口８０ｄは、いずれもエレメント４２の下流側に配置されている。したがって、通気性部材８ｃ内面および通気性部材８ｄ内面は、常に清浄な吸気に接している。このため、通気性部材８ｃの内面側および通気性部材８ｄの内面側が目詰まりしにくい。
【００４１】
（５）第五実施形態
本実施形態と第一実施形態との相違点は、透過口が、吸気ダクトおよびエアクリーナのダーティ側ケースおよびエアクリーナホースに、それぞれ配置されている点である。したがって、ここでは相違点についてのみ説明する。
【００４２】
図６に、本実施形態の吸気装置の吸気ダクトおよびエアクリーナおよびエアクリーナホースの分解図を示す。なお、図２と対応する部位については同じ符号で示す。図に示すように、透過口８０ａは、吸気ダクト２の側周壁に開設されている。透過口８０ａは、通気性部材８ａにより塞がれている。また、透過口８０ｂは、エアクリーナ４のダーティ側ケース４０に開設されている。透過口８０ｂは、通気性部材８ｂにより塞がれている。また、透過口８０ｄは、エアクリーナホース５の側周壁に開設されている。透過口８０ｄは、通気性部材８ｄにより塞がれている。
【００４３】
本実施形態の吸気装置１によると、透過口および通気性部材が、それぞれ三つずつ配置されている。このため、吸気音および透過音のチューニングがさらに容易になる。
【００４４】
（６）第六実施形態
本実施形態と第一実施形態との相違点は、透過口が、吸気ダクトおよびエアクリーナのクリーン側ケースおよびエアクリーナホースに、それぞれ配置されている点である。したがって、ここでは相違点についてのみ説明する。
【００４５】
図７に、本実施形態の吸気装置の吸気ダクトおよびエアクリーナおよびエアクリーナホースの部分分解図を示す。なお、図２と対応する部位については同じ符号で示す。図に示すように、透過口８０ａは、吸気ダクト２の側周壁に開設されている。透過口８０ａは、通気性部材８ａにより塞がれている。また、透過口８０ｃは、エアクリーナ４のクリーン側ケース４１に開設されている。透過口８０ｃは、通気性部材８ｃにより塞がれている。また、透過口８０ｄは、エアクリーナホース５の側周壁に開設されている。透過口８０ｄは、通気性部材８ｄにより塞がれている。
【００４６】
本実施形態の吸気装置１によると、透過口および通気性部材が、それぞれ三つずつ配置されている。このため、吸気音および透過音のチューニングがさらに容易になる。
【００４７】
（７）その他
以上、本発明の吸気装置の実施の形態について説明した。しかしながら、実施の形態は上記形態に特に限定されるものではない。当業者が行いうる種々の変形的形態、改良的形態で実施することも可能である。
【００４８】
例えば、上記実施形態においては、ダーティ側ケース４０およびクリーン側ケース４１をタルク配合ＰＰにより形成した。しかしながら、ダーティ側ケース４０およびクリーン側ケース４１の材質は特に限定しない。例えば、タルク−ガラス繊維配合ＰＰにより形成してもよい。
【００４９】
また、上記実施形態においては、通気性部材８ａ、８ｂ、８ｃ、８ｄを、ＰＥＴ不織布により形成した。しかしながら、通気性部材８ａ、８ｂ、８ｃ、８ｄの材質は特に限定しない。例えば、ＰＰ不織布やＰＡ（ポリアミド）不織布により形成してもよい。また、不織布に限らず、ＰＥＴ織布、ＰＰ織布、ＰＡ織布、木綿により形成してもよい。また、ウレタン系連泡スポンジやＥＰＤＭ（エチレンプロピレンディエンモノマー）系連泡スポンジにより形成してもよい。また、濾紙を用いてもよい。
【００５０】
また、上記実施形態においては、エアクリーナホース５を、ＣＲにより形成した。しかしながら、エアクリーナホース５の材質は特に限定しない。例えば、ＮＢＲ（アクリロニトリルブタジエンゴム）とＰＶＣ（ポリ塩化ビニル）とのブレンド材、ＥＰＤＭ、ＮＢＲとＥＰＤＭとのブレンド材、サントプレーンエラストマーにより形成してもよい。
【００５１】
また、上記実施形態においては、吸気ダクト２を、ＰＰにより形成した。しかしながら、例えばＰＥ（ポリエチレン）などにより形成してもよい。
【００５２】
また、通気性部材と吸気ダクト、または通気性部材とダーティ側ケース、または通気性部材とクリーン側ケース、または通気性部材とエアクリーナホースの接合方法は特に限定しない。例えば、熱板溶着、振動溶着、超音波溶着などの溶着方法により接合してもよい。また、接着剤により接合してもよい。また、上記各部材を射出成形する際に、通気性部材をインサート成形することにより接合してもよい。
【００５３】
また、透過口および通気性部材の配置場所、個数、形状は特に限定しない。例えば、一つの部材に複数の透過口を開設してもよい。
【００５４】
【実施例】
以下、第一実施形態の吸気装置を用いて行った実験について、前出の図１を参照しながら説明する。図８に、吸気音および透過音の周波数分布を示す。なお、この周波数分布は、インテークマニホールド７下流側に配置したスピーカからホワイトノイズを発生させ、吸気口２０上流側に配置したマイクロホンにより吸気音を、通気性部材８ｂ外側に配置したマイクロホンにより透過音を、それぞれ採取することにより測定した。なお、通気性部材８ａの肉厚は、２．５ｍｍとした。また、通気性部材８ａの通気量は、９８Ｐａ時において４（ｍ３／ｈ）となるように設定した。また、通気性部材８ｂの肉厚は、２．０ｍｍとした。また、通気性部材８ｂの通気量は、９８Ｐａ時において２．６（ｍ３／ｈ）となるように設定した。なお、実際の通気量は、下流側の方が上流側よりも吸気脈動圧力が高いため、設定値とは若干異なる。また、通気性部材８ａ、８ｂの肉厚は、ＰＥＴ不織布原反面重量８４０ｇ／ｍ２、ＰＥＴ不織布原反板厚（熱間プレス前）５ｍｍのものを、熱間プレス成形にて板厚を変えることにより、調整している。肉厚が厚いほど、通気量は大きくなる。反対に、肉厚が薄いほど、通気量は小さくなる。
【００５５】
図中、横軸は周波数（Ｈｚ）を示す。また、図中、縦軸は音圧レベル（ｄＢ）を示す。また、図中、太実線ａは、第一実施形態の吸気装置１の吸気音を示す。また、図中、細実線ｂは、第一実施形態の吸気装置１の透過音を示す。なお、透過音については、測定値の大きい方をグラフに記載している。
【００５６】
また、図中、太点線ｃは、エアクリーナ４のダーティ側ケース４０に単一の通気性部材８ｂを配置した場合の吸気音を示す（前出図１１の実線に相当）。また、図中、細点線ｄは、エアクリーナ４のダーティ側ケース４０に単一の通気性部材８ｂを配置した場合の透過音を示す（前出図１１の点線に相当）。
【００５７】
また、図中、太一点鎖線ｅは、吸気ダクト２に単一の通気性部材８ａを配置した場合の吸気音を示す。また、図中、細一点鎖線ｆは、吸気ダクト２に単一の通気性部材８ａを配置した場合の透過音を示す。
【００５８】
図に示すように、エアクリーナ４のダーティ側ケース４０に単一の通気性部材８ｂを配置した場合、周波数域Ａおよび周波数域Ｂのように、透過音の音圧（細点線ｄ）＞吸気音の音圧（太点線ｃ）となる周波数域が発生する。また、吸気音および透過音の持つ周波数域全体を見ると、透過音、吸気音ともに音圧の変動が大きい。また、周波数域Ｃおよび周波数域Ｄおよび周波数域Ｅのように、吸気音の音圧に対し、透過音の音圧が過剰に小さい周波数域が発生する。
【００５９】
ここで、吸気音の音圧を、透過音の音圧とほぼ等しく、かつ透過音の音圧以上となるようにチューニングしようとすると、周波数域Ａおよび周波数域Ｂにおいて、透過音の音圧≦吸気音の音圧とする必要がある。このため、通気性部材８ａ、８ｂの通気量を小さくする必要がある。しかしながら、通気量を小さくすると、吸気音の音圧が大きくなる。したがって、周波数域Ｃおよび周波数域Ｄおよび周波数域Ｅのような、吸気音の音圧に対し、透過音の音圧が過剰に小さい周波数域が増加する。
【００６０】
このように、エアクリーナ４のダーティ側ケース４０に単一の通気性部材８ｂを配置した場合、透過音の音圧＞吸気音の音圧となる周波数域Ａおよび周波数域Ｂに規制されるため、チューニング代がほとんど無いことが判る。
【００６１】
また、図に示すように、吸気ダクト２に単一の通気性部材８ａを配置した場合、透過音の音圧（細一点鎖線ｆ）＞吸気音の音圧（太一点鎖線ｅ）となる周波数域は発生しない。しかしながら、周波数域Ｈのように、透過音の音圧と吸気音の音圧とがほぼ等しくなる周波数域が発生する。また、吸気音および透過音の持つ周波数域全体を見ると、透過音、吸気音ともに音圧の変動が大きい。また、周波数域Ｆおよび周波数域Ｇのように、吸気音の音圧に対し、透過音の音圧が過剰に小さい周波数域が発生する。
【００６２】
ここで、吸気音の音圧を、透過音の音圧とほぼ等しく、かつ透過音の音圧以上となるようにチューニングしようとしても、周波数域Ｈにおいて透過音の音圧と吸気音の音圧とがほぼ等しくなっている。このため、仮に、周波数域Ｆおよび周波数域Ｇにおいて透過音の音圧を吸気音の音圧付近まで大きくすると、周波数域Ｈにおいて透過音の音圧＞吸気音の音圧となってしまうおそれがある。したがって、透過音の音圧を大きくする方向にチューニングすることができない。一方、透過音の音圧を小さくする方向にチューニングすると、周波数域Ｆおよび周波数域Ｇのように、吸気音の音圧に対し、透過音の音圧が過剰に小さい周波数域が増加する。
【００６３】
このように、吸気ダクト２に単一の通気性部材８ａを配置した場合、透過音の音圧と吸気音の音圧とがほぼ等しい周波数域Ｈに規制されるため、チューニング代がほとんど無いことが判る。
【００６４】
上記、単一の通気性部材を配置した場合に対し、第一実施形態の吸気装置１の場合、透過音の音圧（細実線ｂ）＞吸気音の音圧（太実線ａ）となる周波数域は発生しない。また、吸気音および透過音の持つ周波数域全体を見ると、透過音、吸気音ともに音圧の変動が小さい。また、周波数域Ｉ以外の全周波数域において、吸気音の音圧は透過音の音圧〜透過音の音圧＋３ｄＢの範囲に入っている。
【００６５】
すなわち、第一実施形態の吸気装置１によると、吸気音の音圧は、透過音の音圧とほぼ等しく、かつ透過音の音圧以上となるようにチューニングされていることが判る。したがって、車外騒音および車内騒音の双方が小さいことが判る。
【００６６】
以上、第一実施形態の吸気装置を用いた実験について説明した。本実験においては、吸気音の音圧を、透過音の音圧とほぼ等しく、かつ透過音の音圧以上となるようにチューニングする場合について説明した。
【００６７】
しかしながら、透過音の音圧と吸気音の音圧とを本実験以外のバランスにチューニングする場合であっても、第一実施形態の吸気装置の方が単一の通気性部材を持つ吸気装置よりも有利である。
【００６８】
例えば、透過音の音圧＞吸気音の音圧となるようにチューニングする場合、ダーティ側ケース４０に単一の通気性部材８ｂを配置した吸気装置だと、周波数域Ｃおよび周波数域Ｄおよび周波数域Ｅのように、吸気音の音圧に対し、透過音の音圧が過剰に小さい周波数域が存在する。これらの周波数域において、透過音の音圧＞吸気音の音圧となるようにチューニングすると、本来透過音の音圧の方が吸気音の音圧よりも大きい周波数域Ａ、周波数域Ｂにおいて、透過音の音圧の方が吸気音の音圧よりも過剰に大きくなってしまう。
また、透過音の音圧＞吸気音の音圧となるようにチューニングする場合、吸気ダクト２に単一の通気性部材８ａを配置した吸気装置だと、周波数域Ｆおよび周波数域Ｇのように、吸気音の音圧に対し、透過音の音圧が過剰に小さい周波数域が存在する。これらの周波数域において、透過音の音圧＞吸気音の音圧となるようにチューニングすると、透過音の音圧と吸気音の音圧とがほぼ等しい周波数域Ｈにおいて、透過音の音圧の方が吸気音の音圧よりも過剰に大きくなってしまう。
【００６９】
上記、単一の通気性部材を配置した場合に対し、第一実施形態の吸気装置１の場合、透過音の音圧＞吸気音の音圧となる周波数域は存在しない。また、吸気音および透過音の持つ周波数域全体を見ると、透過音、吸気音ともに音圧の変動が小さい。また、周波数域Ｉ以外の全周波数域において、吸気音の音圧は透過音の音圧〜透過音の音圧＋３ｄＢの範囲に入っている。このため、透過音の音圧と吸気音の音圧とのバランスを採りながら、透過音の音圧＞吸気音の音圧となるように、チューニングすることができる。
【００７０】
なお、透過音の音圧＞吸気音の音圧となるようにチューニングする場合としては、エンジンルームの遮音性が高く、透過音の音圧を大きくしても車内騒音が大きくならない場合が挙げられる。
【００７１】
【発明の効果】
本発明によると、広い周波数域に亘って吸気音の音圧と透過音の音圧とをチューニングできる吸気装置を提供することができる。
【図面の簡単な説明】
【図１】第一実施形態の吸気装置の概略図である。
【図２】第一実施形態の吸気装置の吸気ダクトおよびエアクリーナの分解図である。
【図３】第二実施形態の吸気装置の吸気ダクトおよびエアクリーナの部分分解図である。
【図４】第三実施形態の吸気装置の吸気ダクトおよびエアクリーナおよびエアクリーナホースの部分分解図である。
【図５】第四実施形態の吸気装置のエアクリーナおよびエアクリーナホースの部分分解図である。
【図６】第五実施形態の吸気装置の吸気ダクトおよびエアクリーナおよびエアクリーナホースの分解図である。
【図７】第六実施形態の吸気装置の吸気ダクトおよびエアクリーナおよびエアクリーナホースの部分分解図である。
【図８】第一実施形態の吸気装置の吸気音および透過音の周波数分布を示すグラフである。
【図９】従来の吸気装置の概略図である。
【図１０】従来のエアクリーナの概略図である。
【図１１】従来の吸気装置の吸気音および透過音の周波数分布を示すグラフである。
【符号の説明】
１：吸気装置、２：吸気ダクト、２０：吸気口、４：エアクリーナ、４０：ダーティ側ケース、４００：ダクト接続筒、４１：クリーン側ケース、４１０：ホース接続筒、４２：エレメント、５：エアクリーナホース、６：スロットルボディ、７：インテークマニホールド、７０：燃焼室、８ａ：通気性部材、８ｂ：通気性部材、８ｃ：通気性部材、８ｄ：通気性部材、８０ａ：透過口、８０ｂ：透過口、８０ｃ：透過口、８０ｄ：透過口、Ａ：周波数域、Ｂ：周波数域。
【図１】
2004052574.tif 000003
【図２】
2004052574.tif 000004
【図３】
2004052574.tif 000005
【図４】
2004052574.tif 000006
【図５】
2004052574.tif 000007
【図６】
2004052574.tif 000008
【図７】
2004052574.tif 000009
【図８】
2004052574.tif 000010
【図９】
2004052574.tif 000011
【図１０】
2004052574.tif 000012
【図１１】
2004052574.tif 000013